(57)【特許請求の範囲】
【請求項１】
ベースによって、空間を区画するパーティション板の起立を保持したパーティション板の支持構造において、
前記ベースは、ベース板と、該ベース板に着脱可能に取り付けた少なくとも２つ以上の支柱とによって構成され、
前記支柱によって前記パーティション板の側端を挟み込むことによって該パーティション板の起立の保持を行うことを特徴とするパーティション板の支持構造。
【請求項２】
前記パーティション板が、板状の本体部と、該本体部の所定位置に取り付けられた支持枠とによって構成され、
前記支持枠は、横断面が略コの字形状に形成され、
前記支持枠は、前記本体部の端部にコの字形状開口側が嵌め込まれることによって取り付けられていることを特徴とする請求項１に記載のパーティション板の支持構造。
【請求項３】
前記ベース板上において、支持枠同士を隣接させてパーティション板を接続した状態で起立を保持可能な所定位置に前記支柱が着脱可能に取り付けられていることを特徴とする請求項１または２に記載のパーティション板の支持構造。
【請求項４】
前記所定位置は、前記パーティション板２枚を直線状に接続した状態、前記パーティション板２枚をＬ字形状に接続した状態、または前記パーティション板３枚をＴ字形状に接続した状態で起立を保持可能な位置であることを特徴とする請求項３に記載のパーティション板の支持構造。
【請求項５】
断面略コの字形状のクリップを備え、
２枚の前記パーティション板を接続した状態で、隣接させた前記支持枠同士を前記クリップの断面コの字形状開口側に嵌め込むことによって前記接続させた２枚のパーティション板を保持することを特徴とする請求項１〜４のいずれか１つに記載のパーティション板の支持構造。
【請求項６】
前記パーティション板において前記支柱によって保持される支持枠の１つは、２つの支柱によって挟持される、３つの支柱によって挟持される、１つの支柱と他のパーティション板に取り付けられた２つの支持枠によって挟持される、または２つの支柱と他のパーティション板に取り付けられた１つの支持枠によって挟持される、のいずれかであることを特徴とする請求項１〜５のいずれか１つに記載のパーティション板の支持構造。
【請求項７】
前記支柱は、略円柱形状に形成され、
前記支持枠の外側の各面には、前記支柱を嵌め込むための弓形状の窪みが設けられていることを特徴とする請求項１〜６のいずれか１つに記載のパーティション板の支持構造。
【請求項８】
パーティション板の起立を保持するベースであって、
前記パーティション板と地面との間に設置されるベース板と、
ベース板の所定位置に着脱可能に取り付けられた少なくとも２つ以上の支柱とより構成され、
前記支柱は上方に向けて伸び、前記支柱によって前記パーティション板を挟み込むことによってパーティション板の起立を保持可能であることを特徴とするベース。
【発明の詳細な説明】
【技術分野】
【０００１】
本発明は、空間を仕切るパーティション板を地面に対して起立させた状態で保持するパーティション板の支持構造に関する。
【背景技術】
【０００２】
各種の展示会場や催事場あるいはパーティ会場、自宅、オフィスなどにおいて、空間を区画するためにパーティション板が用いられている。このパーティション板は一般的には平板状のパネル体として形成され、パーティション板の支持機構によって起立させて使用するものである。
また、パーティション板を複数枚連結し、所望の大きさ、所望の形状の空間に区画するといったことも行われている。
このようなパーティション板を支持するものとして、たとえば特許文献１に記載されたものがある。
これは、パネル本体の下部に支持脚を収納可能に取り付け、パネルを起立させる際に、支持脚をパネル本体の面に対して直交する方向に伸ばして使用するものである。
その他には止め具にて床に固定する方式が取られている。
【特許文献１】特開平１１−１６６２７８号公報
【発明の開示】
【発明が解決しようとする課題】
【０００３】
しかしながら従来のものでは、パーティション板を起立させることはできるものの、複数のパーティション板を並べて使用する際にパーティション板同士を連結させる構成を有していないため、隣り合うパーティション板を突き当てた接続部分に隙間ができてしまい見栄えが悪いといった問題があった。
また、従来のものではパーティション板を起立させる構造が複雑となり、パーティション板の組立に手間を要したり、製造コストや加工工数が増加してしまうといった問題があった。
さらにまた、組立後の変更、撤去が容易でなかった。
【課題を解決するための手段】
【０００４】
そこで本発明はこのような問題点に鑑み、簡素な構成でパーティション板の起立を保持することができ、かつ様々な形状でパーティション板を堅固に組立連結することができるパーティション板の支持構造を提供することを目的とする。
そのため本発明は、ベース板に着脱可能に取り付けた支柱によって、パーティション板の側端あるいはそこに取付けられた支持枠を挟み込むことによって、パーティション板の起立を簡素な構成で保持可能とした。
【０００５】
またパーティション板を直線状に接続、Ｌ字形状に接続、あるいはＴ字形状に接続した状態で起立の保持が可能な位置に支柱を着脱可能に取り付け可能とした。
さらに、断面が略コの字形状のクリップによってパーティション板の支持枠を挟み込むことによって、連結したパーティション板の位置ずれが防止できるように構成した。
支柱を略円柱形状に形成し、支持枠の外面に弓形状の窪みを設け、該窪みに支柱を嵌め込むことによって位置ずれが防止できるように構成した。
【発明の効果】
【０００６】
本発明によれば、ベースに取り付けた支柱の間にパーティション板の側端あるいは支持枠を挟み込むだけでパーティション板を起立させることができるので、簡素な構成で容易にパーティション板を組立設置することができる。
支持枠を略コの字形状に形成することにより、パーティション板の本体部に容易に取り付けることができ、またパーティション板を容易に製造できる構造となっている。
【０００７】
また支柱の取り付け位置として、パーティション板の側端同士を直線形状、Ｌ字形状、あるいはＴ字形状に接続した状態で起立させることができる位置としたので、パーティション板の接続形状によってベースを交換することなくパーティション板を様々な形状で接続することができ、空間を所望の形状に区切ることができる。
【０００８】
クリップをパーティション板の支持枠に取り付けるものとしたので、接続した隣接するパーティション板同士の位置がずれることが無くなり、安定してパーティション板を支持することができる。
円柱形状の支柱を支持枠の外面に設けられた窪みに嵌め込むことにより、支柱によって安定して支持枠を保持することができる。そしてパーティション板間の隙間を防止できる。
【発明を実施するための最良の形態】
【０００９】
次に本発明の実施の形態を実施例により説明する。
図１は、パーティション板をＬ字形状に連結した状態を示す斜視図である。図２はベースを示す図であり、図２（ａ）はベースの上面図、図２（ｂ）はベースの正面図である。図３は、パーティション板の支持構造を示す上面図である。
なお図２では、ベース２を図示するため、パーティション板を省略してある。
また図３は、パーティション板の内部構造を図示するためパーティション板１Ａ、１Ｂの断面を示してある。
【００１０】
パーティション板１Ａの端部に取り付けられた支持枠４Ａと、パーティション１Ｂの端部に取り付けられた支持枠４Ｂとを突き当て、パーティション板１Ａとパーティション板１Ｂとが上方から見たときにＬ字形状となるように接続されている。
パーティション板１Ａ、１Ｂの接続部の下部には、一部を示してあるベース２が設けられている。
ベース２は、パーティション板１Ａ、１Ｂと地面との間に挟み込まれるベース板２１と、ベース板２１から上方向に立ち上がる複数の支柱３とより構成されている。
支柱３（３１、３２、３３、３４、図３参照）によってパーティション板１Ａ、１Ｂの支持枠４Ａ、４Ｂを挟み込むことによって、パーティション板１Ａ、１Ｂの起立が保持されている。
【００１１】
パーティション板１Ａは、板状の板本体部１０と、板本体部１０の下端に取り付けられた下枠１２と、板本体部１０の上端に取り付けられた上枠１１と、板本体部１０の側端に取り付けられた横枠１３（図３参照）と、板本体部１０の側端に取り付けられて横枠１３を覆う断面コの字形状の支持枠４Ａとより構成されている。
上枠１１、下枠１２および横枠１３は、板本体部１０の各端部を覆うようにして取り付けられているため、板本体部１０の上枠１１、下枠１２および横枠１３が取り付けられた部分の厚みは、板本体部１０の厚みよりも厚くなっている。
【００１２】
支持枠４Ａは、樹脂で形成された断面コの字形状の枠本体部４１と、枠本体部４１のコの字形状内側に配置されて枠本体部４１の反りなどを防止する金属で形成された断面コの字形状の芯材４３と、枠本体部４１のコの字形状の各外面にそれぞれ設けられた凹部４２とより構成されている。
凹部４２は弓形状に窪んでおり、詳しくは後述する支柱３によって挟み込まれた場合に各凹部４２内に支柱３が落し込まれる。
この凹部４２に支柱３を落とし込む構成としたので、パーティション板と支柱３との位置のずれが防止され、支柱３によってパーティション板１Ａの起立を安定して保持することができる。
【００１３】
枠本体部４１においてコの字形状開口側の両端部内側には、図３に示すように内側に向けて突出する凸部４４が設けられている。
凸部４４の突出高さは、枠本体部４１を板本体部１０に取り付けた状態で、凸部４４の先端が板本体部１０に当接する高さとなっている。これにより、支持枠４が板本体部１０から外れる方向に移動しようとした場合、凸部４４が横枠１３に係合し、支持枠４Ａが板本体部１０から脱落することが防止される。
【００１４】
支持枠４Ａのコの字形状の各辺は、それぞれ同じ長さとなっている。
図１に示すように、枠本体部４１の上部には正方形状のコーナーキャップ４５Ａが取り付けられている。
パーティション板１Ｂや支持枠４Ｂも、パーティション板１Ａや支持枠４Ａと同じ構成となっている。また支持枠４Ｂは、支持枠４Ａと同様に上部にコーナーキャップ４５Ｂを備えている。
【００１５】
図２を用いて、ベース２の詳細について説明する。
ベース板２１は、長円形状に形成されている。ベース板２１の下面には、長方円形状の長手方向の両端部にそれぞれ２つ、およびベース板２１の中央部に１つの合計５つのクッション材２３が取り付けられている。
【００１６】
特に図２（ａ）に示すようにベース板２１には、支柱３を所定の位置に取り付けるための複数の取付穴２２（Ａ１、Ａ２、Ｂ１〜Ｂ３、Ｃ１、Ｃ２、Ｄ１〜Ｄ３、Ｅ１、Ｅ２）が設けられている。
説明を容易にするため、図２（ａ）において、右端から順に上下方向にラインＡ〜Ｅを付す。またベース板２１の図２（ａ）中の上下方向の中央位置に、左右方向に延びるラインＦを付す。
なおラインＣは、ベース板２１の長手方向の中央位置である。
【００１７】
ラインＡ上には、取付穴Ａ１、Ａ２が図２（ａ）の上方から下方に向かって順に設けられている。同様に、ラインＢ上には取付穴Ｂ１〜Ｂ３、ラインＣ上には取付穴Ｃ１、Ｃ２、ラインＤ上には取付穴Ｄ１〜Ｄ３、ラインＥ上には取付穴Ｅ１、Ｅ２が設けられている。
取付穴Ａ１と取付穴Ｅ１とは、図２（ａ）中の上下方向の位置が同じである。同様に、取付穴Ａ２と取付穴Ｅ２、取付穴Ｂ１と取付穴Ｄ１、取付穴Ｂ２と取付穴Ｄ２、取付穴Ｂ３と取付穴Ｄ３は、図２（ａ）中の上下方向の位置が同じである。
【００１８】
本実施例では、パーティション板１Ａ、１Ｂを上方からみた場合にＬ字形状となるように接続して起立させるため、ベース板２１の下方側から取付ボルト３９を取付穴Ｃ２、Ｂ３、Ｂ２、Ｄ２にそれぞれ通し、支柱３１、３２、３３、３４をベース板２１に取り付ける。なお図２（ａ）、（ｂ）では、取付穴Ｂ３に取り付けた支柱３２のみを示す。
【００１９】
図３に示すようにパーティション板１Ｂは、支柱３３、３４とによって支持枠４Ｂが挟み込まれることによって起立が保持される。
パーティション板１Ａは、支持枠４Ａの側面とパーティション板１Ｂの支持枠４Ｂの先端面とを当接させることによってＬ字形状に配置され、支柱３１、３２と支持枠４Ｂの先端面とで挟み込まれることによって起立が保持される。
なおパーティション板１Ａ、１Ｂは、所定の支柱３間に上方側から支持枠４Ａ、４Ｂを差し込むことによってベース２に組み付けられている。
【００２０】
パーティション板１Ａ、１Ｂは、図１に示すように支持枠４Ａ、４Ｂの上端近傍がクリップ５に保持されている。
図４に、クリップ５の詳細を示す。
クリップ５は、上方から見たときに略コの字形状に形成されている。
クリップ５において、コの字形状開口側端部の一方（図４中の左側の端部）は、上方側から見たときにコの字形状内側に膨出する弓形状の付勢端５１となっている。コの字形状開口側端部の他方の端部（図３中の右側の端部）は、コの字形状内側に向けて伸びる爪部５２を備えている。
クリップ５のコの字形状内側の幅は、支持枠４Ａ、４Ｂを挟み込むことができる幅に設定されている。
クリップ５は金属等の弾力性を有する材料で形成されている。
【００２１】
クリップ５は、図３に示すように、爪部５２を支持枠４Ｂのコの字形状開口側の端部とパーティション板１Ｂの板本体部１０Ｂとの間に差し込み、クリップ５のコの字形状内側に支持枠４Ａ、４Ｂを嵌め込んで取り付けられる。
クリップ５は弾性体で形成されているため、クリップ５の取り付け時において付勢端５１が支持枠４Ａを支持枠４Ｂ側に付勢する。
これにより、支持枠４Ａ、４Ｂの上端側において支持枠４Ａ、４Ｂの接続を確実なものとすることができる。
【００２２】
上記ではベース２を用いてパーティション板１Ａ、１ＢをＬ字形状に接続する構成について説明したが、支柱３のベース板２１への取り付け位置を変更することにより、様々な形状でパーティション板の起立を保持することができる。
ベース板２１に設けられた取付穴２２の配置の詳細について図２（ａ）を用いて説明する。
図２（ａ）において、ラインＢとラインＤとは平行となっており、取付穴Ｂ１と取付穴Ｄ１の間隔、および取付穴Ｂ３と取付穴Ｄ３の間隔は、取付穴Ｂ２と取付穴Ｄ２の間隔と同じとなっている。
したがって上記の例と同様に、取付穴Ｂ１、Ｄ１に取り付けられた支柱３によって支持枠４Ａ、４Ｂを挟み込み、あるいは取付穴Ｂ３、Ｄ３に取り付けられた支柱３によって支持枠４Ａ、４Ｂを挟み込んでパーティション板１Ａ、１Ｂの起立を保持することができる。（詳しくは後述する図６（ａ）、（ｂ）参照）
【００２３】
また、ラインＡ上の取付穴Ａ１と取付穴Ａ２の間隔、およびラインＥ上の取付穴Ｅ１と取付穴Ｅ２の間隔は、前述の取付穴Ｂ２と取付穴Ｄ２の間隔と同じとなっている。
したがって、取付穴Ａ１、Ａ２に取り付けられた支柱３によって支持枠４Ａ、４Ｂを挟み込み、あるいは取付穴Ｅ１、Ｅ２に取り付けられた支柱３によって支持枠４Ａ、４Ｂを挟み込んでパーティション板１Ａ、１Ｂの起立を保持することができる。（詳しくは後述する図８の（ａ）参照）
【００２４】
パーティション板の起立および接続のバリエーションの詳細について説明する。
まず、仕切る空間の端部など、他と接続されないパーティション板の端部の起立をベース２によって保持する場合について説明する。
図５および図６に示すように、取付穴Ｂ３、Ｃ２、Ｄ３にそれぞれ取り付けられた支柱３（３５、３６、３７）によってパーティション板１Ｃの支持枠４Ｃを３方向から挟み込んでパーティション板１Ｃの起立を保持する。
【００２５】
次に、パーティション板の端部を壁等に当接させた状態でパーティション板の端部の起立をベース２によって保持する場合について説明する。
図６（ｂ）に示すように、取付穴Ｂ１、Ｄ１にそれぞれ取り付けられた支柱３（３８、３９）によってパーティション板１Ｄの支持枠４Ｄを挟み込んでパーティション板１Ｄの起立を保持する。
支柱３８、３９によって支持枠４Ｄを保持した状態で支持枠４Ｄの先端面がベース板２１の端縁と整合するように、取付穴Ｂ１、Ｄ１がベース板２１に設けられている。
支持枠４Ｄの先端面がベース板２１の端縁と整合しているので、支持枠４Ｄを壁等に隙間なく当接させた状態でパーティション板１Ｄを設置することができる。
【００２６】
次に、ベース２を用いて３枚のパーティション板をＴ字形状に接続する場合について説明する。
図７および図８（ａ）に示すように、取付穴Ｄ２、Ｅ１、Ｅ２、Ｂ３、Ｂ２にそれぞれ支柱３（６１、６２、６３、６４、６５）を取り付ける。
支柱６１、６５によって、パーティション板１Ｅの支持枠４Ｅが挟み込まれて起立が保持され、支柱６２、６３によって、パーティション板１Ｆの支持枠４Ｆが挟み込まれて起立が保持される。
支柱６４と、支持枠４Ｅの先端面と、支持枠４Ｆの先端面とによってパーティション板１Ｇの支持枠４Ｇが挟み込まれて起立が保持される。
【００２７】
また支持枠４Ｇ、４Ｅには、クリップ５が取り付けられている（図７参照）。これにより、支持枠４Ｇ、４Ｅの上端部においてパーティション板１Ｅ、１Ｇの位置がずれること無く、接続を確実なものとすることができる。
なお、支柱６２、６３を取付穴Ａ１、Ａ２に取り付け、パーティション板１Ｆを支持枠４Ｇから図８の（ａ）中の下方側に伸びるようにして接続してもよい。
【００２８】
次に、２枚のパーティション板をベース２を用いて直線形状に接続する場合について説明する。
図８（ｂ）に示すように、取付穴Ｂ２、Ｂ３、Ｄ３、Ｄ２にそれぞれ支柱３（６６、６７、６８、６９）を取り付ける。
支柱６６、６９によってパーティション板１Ｊの支持枠４Ｊを挟み込み、支柱６７、６８によってパーティション板１Ｈの支持枠４Ｈを挟み込んで起立を保持する。
また取付穴Ｂ２と取付穴Ｂ３、または取付穴Ｄ２と取付穴Ｄ３の間隔は、支柱６６〜６９によって支持枠４Ｈ、４Ｊを挟み込んだときに互いの先端面が当接する位置となっている。これにより、パーティション板１Ｊ、１Ｈの支持枠４Ｊ、４Ｈがそれぞれ３点で挟み込まれた状態となり、確実に起立を保持することができる。
なお図示しないが、支持枠４Ｊ、４Ｈの上方部においてクリップ５を取り付け、互いに位置がずれることが無いように、確実に保持されている。
【００２９】
本実施例は以上のように構成され、ベース２のベース板２１に複数の取付穴２２を設け、所定の位置に支柱３を取り付けてパーティション板を支柱３や他のパーティション板の支持枠によって挟み込んで起立を保持する構成としたので、パーティション板の起立を簡素な構成で堅固に保持することができ、さらにパーティション板を簡素な構成で様々な形状に接続することができる。
パーティション板をベース２に組み付ける際に、パーティション板をベース２の上方から支柱３の間に差し込むだけでよいので、組み付けが非常に容易である。
またクリップ５を用いて隣り合うパーティション板の支持枠同士を固定することにより、パーティション板同士の位置がずれることなく確実に保持することができる。
【図面の簡単な説明】
【００３０】
【図１】パーティション板をＬ字形状に接続した状態を示す斜視図である。
【図２】ベースを示す図である。
【図３】パーティション板の接続部を示す図である。
【図４】クリップを示す斜視図である。
【図５】パーティション板を単体で保持した状態を示す斜視図である。
【図６】パーティション板の接続部を示す図である。
【図７】パーティション板をＴ字形状に接続した状態を示す斜視図である。
【図８】パーティション板の接続部を示す図である。
【符号の説明】
【００３１】
１Ａ〜１Ｈ、１Ｊ      パーティション板
２      ベース
３、３１〜３９、６１〜６９      支柱
４Ａ〜４Ｈ、４Ｊ      支持枠
５      クリップ
２２、Ａ１、Ａ２、Ｂ１〜Ｂ３、Ｃ１、Ｃ２、Ｄ１〜Ｄ３、Ｅ１、Ｅ２      取付穴
【図１】
0005078760.tif 000002
【図２】
0005078760.tif 000003
【図３】
0005078760.tif 000004
【図４】
0005078760.tif 000005
【図５】
0005078760.tif 000006
【図６】
0005078760.tif 000007
【図７】
0005078760.tif 000008
【図８】
0005078760.tif 000009